(57)【特許請求の範囲】
【請求項１】
玄米または精白米などの被選別穀粒から細粒および欠損粒などの非整粒を選別除去する多孔選別回転筒を機体外装体内に設けて成る穀類選別装置であって、多孔選別回転筒を回転駆動する電動機を収蔵した電動機収蔵筺を機体外装体に一端を固定して機体外装体内に配設し、機体外装体内の電動機収蔵筺を固定した一端側に多孔選別回転筒の一端側外周面を回転自在に支承する受ロールを設け、多孔選別回転筒を上記電動機収蔵筺を覆うように挿入して多孔選別回転筒の一端側外周面を受ロールで回転自在に支承するとともに、多孔選別回転筒の他端側軸心を電動機の出力軸に連結して多孔選別回転体を電動機により回転駆動するように構成し、上記他端側軸心を機体外装体に設けた軸により軸支して成り、前記電動機収蔵筺の天面を電動機の出力軸側に張り出して庇部としたことを特徴とする穀類選別装置。
【請求項２】
電動機収蔵筺の天面は山形状の傾斜面を成し、その天面を張り出して形成した庇部も山形状の傾斜面を成していることを特徴とする請求項１記載の穀類選別装置。
【発明の詳細な説明】
【０００１】
【発明の属する技術分野】
本発明は、籾摺機で籾摺りした玄米または精米機で精米した精白米などの被選別穀粒から混在する細粒および欠損粒などの非整粒を選別除去する穀類選別装置に関する。
【０００２】
【従来の技術】
玄米または精白米などの被選別穀粒から細粒および欠損粒などの非整粒を選別除去する多孔選別回転筒を機体外装体内に設けて成る穀類選別装置としては、回転選別筒型穀類選別機（ライスグレーダ）があるが、従来、ライスグレーダの多くは、機体外装体の外部に多孔選別回転筒を回転駆動するための電動機を付属させた構成であった。
【０００３】
ところで、従来の多くのライスグレーダのように、機体外装体の外部に電動機を付属させたものにあっては、機体の小型化に自ずと限界があり、需要層の要望に十分応じきれていないのが実情であった。
【０００４】
そこで、本出願人は、先に、多孔選別回転筒を回転駆動する電動機を、機体外装体の内部で空洞（デッドスペース）となる多孔選別回転筒内に配設した構成の穀類選別装置を提案するに至り、これをもって機体外装体の外部に電動機が付属せず、機体の大幅な小型化を実現させている（特開平１０−２７２４２２号公報参照）。
【０００５】
【発明が解決しようとする課題】
この種の穀類選別装置において、多孔選別回転筒内は、穀粒の選別面からみれば多孔選別面に沿った部位を除いてデッドスペースとなるので、前掲の特開平１０−２７２４２２号公報に記載されているように、多孔選別回転筒内に電動機収蔵筺を配設することは、装置の大幅な小型化のうえで有意義である。
【０００６】
しかしながら、多孔選別回転筒内で被選別穀粒が多孔選別面の内面に沿って上昇し、かつ降ってくる穀粒はそれほど多くはなくても、電動機収蔵筺を穀粒がスムーズに流れ落ちる構成にする必要があるとともに、電動機収蔵筺の電動機の出力軸が出ている面は電動機の出力軸の軸受部を成しているので、穀粒（特に穀油分が滲出している白米）がその部位に繰り返し接触すると、穀油分が軸受面に侵入し、さらにそれに糠分が付着して固化する現象を惹起して、回転不調や不能の事態に陥ることが分かった。
【０００７】
本発明は、上記問題点に対処すべく、多孔選別回転筒内に配設する電動機収蔵筺の天面を電動機の出力軸側に張り出して庇部としたことにより、電動機収蔵筺の上方から降り落ちる穀粒がその天面に堆積するのを未然に防止するとともに、電動機収蔵筺から電動機の出力軸が出ている面の軸受部に穀類が降りかからないようにして、電動機の出力軸の軸受部を穀油分の侵入固化に起因する回転不調や不能の事態発生を未然に防止することができる穀類選別装置を提供することを目的とする。
【０００８】
【課題を解決するための手段】
本発明の請求項１に係る穀類選別装置は、玄米または精白米などの被選別穀粒から細粒および欠損粒などの非整粒を選別除去する多孔選別回転筒を機体外装体内に設けて成る穀類選別装置であって、多孔選別回転筒を回転駆動する電動機を収蔵した電動機収蔵筺を機体外装体に一端を固定して機体外装体内に配設し、機体外装体内の電動機収蔵筺を固定した一端側に多孔選別回転筒の一端側外周面を回転自在に支承する受ロールを設け、多孔選別回転筒を上記電動機収蔵筺を覆うように挿入して多孔選別回転筒の一端側外周面を受ロールで回転自在に支承するとともに、多孔選別回転筒の他端側軸心を電動機の出力軸に連結して多孔選別回転体を電動機により回転駆動するように構成し、上記他端側軸心を機体外装体に設けた軸により軸支して成り、前記電動機収蔵筺の天面を電動機の出力軸側に張り出して庇部としたことを特徴とするものである。
【０００９】
また、本発明の請求項２に係る穀類選別装置は、請求項１の構成において、電動機収蔵筺の天面は山形状の傾斜面を成し、その天面を張り出して形成した庇部も山形状の傾斜面を成していることを特徴とするものである。
【００１０】
【発明の実施の形態】
図１は本発明の一実施の形態に係る穀類選別装置の全体斜視図、図２は同上一部を切欠して示す断面図、図３は要部の斜視図、図４は要部の分解斜視図である。
【００１１】
図面において、１は本発明に係る穀類選別装置である。この穀類選別装置１は、籾摺機により籾摺りした玄米または精米機により精米した精白米から細粒および欠損粒などの非整粒を選別除去するものである。穀類選別装置１において、２は多孔選別回転筒である。多孔選別回転筒２は、その一端側が無孔平滑面の円筒部３を成し、かつ他端部が整粒送出開口部４を成していて、その間が多孔選別面５と成っている。６は機体外装体、７はホッパ、８はその穀粒流出口である。ホッパ７は、被選別穀粒を多孔選別回転筒２の円筒部３内に投入するためのものである。
【００１２】
機体外装体６内の一端部には、１２０度の回転角位置にそれぞれ受ロール９を設けており、多孔選別回転筒２の平滑円筒面３の外周面は３つの受ロール９に支持されている。機体外装体５内には、多孔選別回転筒２を回転駆動する電動機１０を収蔵した電動機収蔵筺１１が配設されている。この電動機収蔵筺１１は、機体外装体５に一端を固定した片持ち状を成しており、電動機１０は電動機収蔵筺１１に固定され、電動機１０の出力軸１２は電動機収蔵筺１１の他端側から突出している。多孔選別回転筒２は、上記電動機収蔵筺１１を覆うように挿入して多孔選別回転筒２の一端側円筒部３を受ロール９で回転自在に支承するとともに、多孔選別回転筒２の他端側軸心１３を電動機１０の出力軸１２に連結して多孔選別回転体２を電動機１０により回転駆動するように構成する。
【００１３】
上記多孔選別回転筒２の他端側軸心１３は、機体外装体５に設けた軸１４により軸支する。すなわち、機体外装体５の電動機収蔵筺１１の片持ち状取付側と反対側は、着脱自在の蓋体１５を成しており、上記軸１４はこの蓋体１５の内面に突出するように固定されている。着脱自在の蓋体１５は複数のネジ１６により固着される。そして、多孔選別回転筒２を上記のように装填した後、蓋体１５を機体外装体５に取り付けることにより、その軸１４が電動機１０の出力軸１２と多孔選別回転筒２の他端側軸心１３との連結部に嵌合され、機体外装体５に蓋体１５を介して固定された軸１４によって、多孔選別回転筒２の他端側軸心１３との連結部が軸支される。
【００１４】
電動機収蔵筺１１は、その天面１７が山形状の傾斜面を成しており、かつ天面１７は、電動機１０の出力軸１２側に張り出して庇部１８を形成している。したがって庇部１８は、天面１７と同様に山形状の傾斜面を成し、電動機１０の出力軸１２とその軸受部１９の上方を覆って、軸受部１９および出力軸１２に穀粒が降りかからないようにして、軸受部１９に穀油分が侵入して固化する現象を無くしている。なお、庇部１８は、図示のものより長く張り出して、出力軸１２の略全長を覆うようにしてもよい。図中、２０は目詰まり防止のためのゴム板、２１はその取付部材、２２は取付ネジである。
【００１５】
上記のように、電動機収蔵筺１１の天面１７は山形状の傾斜面を成しているので、電動機収蔵筺１１の上方から降り落ちる穀粒は天面１７から滞り無く流れ落ちて堆積することがない。また、庇部１８も同様に山形状の傾斜面を成しているので、庇部１８上にも穀粒が堆積することはない。
【００１６】
【発明の効果】
本発明によれば、多孔選別回転筒内に配設する電動機収蔵筺の天面を電動機の出力軸側に張り出して庇部としたことにより、電動機収蔵筺の上方から降り落ちる穀粒がその天面に堆積するのを未然に防止するとともに、電動機収蔵筺から電動機の出力軸が出ている面の軸受部に穀類が降りかからないようにして、電動機の出力軸の軸受部を穀油分の侵入固化に起因する回転不調や不能の事態発生を未然に防止することができる穀類選別装置が得られる。
【図面の簡単な説明】
【図１】本発明の一実施の形態に係る穀類選別装置の全体斜視図である。
【図２】本発明の一実施の形態に係る穀類選別装置の一部を切欠して示す断面図である。
【図３】本発明の一実施の形態に係る穀類選別装置の要部の斜視図である。
【図４】本発明の一実施の形態に係る穀類選別装置の要部の分解斜視図である。
【符号の説明】
１  穀類選別装置
２  多孔選別回転筒
３  無孔平滑面の円筒部
４  整粒送出開口部
５  多孔選別面
６  機体外装体
７  ホッパ
８  穀粒流出口
９  受ロール
１０  電動機
１１  電動機収蔵筺
１２  電動機の出力軸
１３  多孔選別回転筒の他端側軸心
１４  軸
１５  蓋体
１６  ネジ
１７  電動機収蔵筺の天面
１８  庇部
１９  軸受部
２０  ゴム板
２１  取付部材
２２  取付ネジ
【図１】
0003896397.tif 000002
【図２】
0003896397.tif 000003
【図３】
0003896397.tif 000004
【図４】
0003896397.tif 000005